(57)【要約】      （修正有）【課題】椅子の高さ調節が安定して迅速に昇降可能とし、最適な高さ調節が椅子に掛けたままでも実施できるピアノの椅子を提供する。【解決手段】椅子の四隅に垂直配置した脚部２に沿ってボールネジ棒Ｂ１、Ｂ２等が配置され、上記ボールネジ棒の頂端Ｂ５、Ｂ６等が座部１１を支えこのボールネジ棒に嵌る雌ネジ環６Ａ、６Ｂ等が椅子の本体１０に回転自在に垂直支持され、上記各雌ネジ環の各外周に設けたタイミングプーリ５Ａ、５Ｂ等が駆動モータＭに繋がれたタイミングベルト１３により巻き掛けられ、上記駆動モータの正転・逆転駆動による各雌ネジ環の同期した正転・逆転で座部を昇降調節するピアノの椅子１００とする。【選択図】図１
0003179986.tif 000002
【実用新案登録請求の範囲】
【請求項１】
椅子の四隅に垂直配置した脚部に沿ってボールネジ棒が垂直配置され、上記ボールネジ棒の頂端が座部を支えこのボールネジ棒に嵌る雌ネジ環が椅子の本体に回転自在に垂直支持され、上記各雌ネジ環の各外周に設けたタイミングプーリが駆動モータの原動側タイミングプーリにタイミングベルトにより巻き掛けられ、上記駆動モータの正転・逆転駆動による各雌ネジ環の同期した正転・逆転で各ボールネジ棒を昇降移動して座部を昇降調節する構成としたことを特徴とするピアノの椅子。
【請求項２】
上記駆動モータは、ウオ−ム減速機を備え、この低速回転軸に原動側タイミングプーリを設けた構成としたことを特徴とする請求項１記載のピアノの椅子。
【請求項３】
上記駆動モータは、椅子の本体内に備えた蓄電池を電源となし、昇降スイッチにより正転・逆転して各雌ネジ環を正転・逆転させ、上記各ボールネジ棒の昇降移動で座部の高さを微動昇降させながら任意位置に停止する構成としたことを特徴とする請求項１または２記載のピアノの椅子。
【請求項４】
上記駆動モータは、１００ボルト商用電源等の外部電源に繋がれ、昇降スイッチにより正転・逆転され、座部の高さを微動昇降させながら任意位置に停止する構成としたことを特徴とする請求項１または２記載のピアノの椅子。
【請求項５】
上記椅子の四隅に垂直配置した脚部の一つに、身長別の座部高さ位置を示す表示部を備え、上記表示部を備えた脚部の内側に垂直配置されたボールネジ棒の下端側に座部の高さ位置を上記表示部に指示する指針を備えたことを特徴とする請求項１記載のピアノの椅子。
【考案の詳細な説明】
【技術分野】
【０００１】  本考案は、座部の高さを調節出来るようにしたピアノの椅子に係わり、特に、椅子の高さ調節が安定して迅速に昇降可能としたピアノの椅子に関する。
【背景技術】
【０００２】  例えば、オルガンやピアノの椅子は、演奏者が子供から成人まで様々な人々によって使用される関係から、身長や座高の相違により座部の高さを調節出来るように構成されている。その具体的な公知例を紹介する。その構成は、ピアノなどの楽器演奏中などであっても、演奏者自身がその座板位置の調整を迅速かつ安全に行うことができる演奏用座板位置調整椅子であって、左右一対のロックピンをロックプレートのステップ溝に向けて進退させる背部ロックピン操作レバー（上）に連接して椅子本体の左右両側に略Ｕ字状に延設された側部ロックピン操作レバー等を有するように演奏用座板位置調整椅子としたものである（例えば、特許文献１。）。【０００３】  また、別の椅子は、高さ調整が容易であると共に、再現性をもって元の高さに戻すことが容易で、容易に天板の高さを判断することができる天板の高さ調整機構とした。その構成は、天板と基台との間にリンク機構が設けられ、リンク機構の交差角度を変えることにより該天板の高さが変わる天板の高さ調整機構であって、第１のリンクの下端が基台に回動自在に軸支されると共に上端が天板に摺動自在に支持され、第２のリンクの上端が天板に回動自在に軸支されると共に下端が基台に摺動自在に支持され、第１のリンクの上端付近から摺動方向に略直角に横方向に伸びる係止棒と、係止棒に係合して係止棒の摺動を規制する係止溝を係止棒の摺動方向に沿って複数有すると共に係止溝が係止棒に係脱自在に動作する係止片とを備え、係止棒の端部が天板又は基台の外側に突出するものである（例えば、特許文献２。）。【０００４】  更に、別のピアノ椅子は、座部を箱部と、該箱部に対して蝶板を介して揺動自在に連結された蓋部とで構成し、揺動自在の支持片が支持板に係合する高さを変えることにより蓋部の傾斜角度を調節できるようにしたものである（例えば、特許文献３。）。【０００５】  更に、別の背部を有する椅子は、電動式とした椅子で、背部の後傾動作が可能であって、かつ、適切な着座姿勢をとることができ、上半身及び下半身とも楽で心地よい着座状態を維持させる電動昇降椅子である。その構成は、座部と背部とを有する昇降部が昇降可能な電動昇降椅子である。昇降部が所定の低位置に達すると背部を後方傾斜させる後傾機構を備える。後傾機構は、背部を大きく後方傾斜させると共に座部を小さく後方傾斜させるように、座部揺動中心と背部揺動中心とを相違させたものである（例えば、特許文献４。）。
【先行技術文献】
【特許文献】
【０００６】
【特許文献１】  実用新案登録第３１７２９０６号公報
【特許文献２】  特開２０１１−４１６６４号公報
【特許文献３】  特開２０００−２６２３５３号公報
【特許文献４】  特開２００５−６８９９号公報
【考案の概要】
【考案が解決しようとする課題】
【０００７】  上記公知例は、ロックプレートとこのステップ溝による機構で段階的に昇降調節させる形式や天板と基台との間にリンク機構を設けてネジ棒の回転操作で連続昇降させるものである。更には、座部を箱部として蝶板を介して揺動自在な構成として、座部の前側を低くした傾斜角度を調節可能としたもの、そして、座部と背部とを有する昇降部が昇降可能な電動昇降椅子としたものである。上記各椅子の座部の高さ調節機構は、その高さ調節の度に椅子から立ち上がって再調節した後、再度椅子に座って高さ確認をしなければならないから、操作性が悪く、しかもジャストな高さ位置を得ることが出来ない。また、座部の高さ調節機構を電動式としても、座部が片持ち支持のため座部の先端縁に掛かる体重に対する支持能力に欠ける。【０００８】  本考案は、上記各種の椅子の高さ調節機構が持つ問題点に鑑みてなされたものである。その目的は、椅子の高さ調節が安定して迅速に昇降可能とし、最適な高さ調節は演奏者が椅子に掛けたままでも実施できるとともに、演奏者が椅子に掛ける前に身長別に最適高さ位置が表示部で確認しながら調節出来るピアノの椅子を提供する。
【課題を解決するための手段】
【０００９】  上記目的を達成するべく本考案の請求項１によるピアノの椅子は、椅子の四隅に垂直配置した脚部に沿ってボールネジ棒が垂直配置され、上記ボールネジ棒の頂端が座部を支えこのボールネジ棒に嵌る雌ネジ環が椅子の本体に回転自在に垂直支持され、上記各雌ネジ環の各外周に設けたタイミングプーリが駆動モータの原動側タイミングプーリにタイミングベルトにより巻き掛けられ、上記駆動モータの正転・逆転駆動による各雌ネジ環の同期した正転・逆転で各ボールネジ棒を昇降移動して座部を昇降調節する構成としたことを特徴とする。【００１０】  また、本考案の請求項２によるピアノの椅子は、請求項１記載のピアノの椅子において、上記駆動モータは、ウオ−ム減速機を備え、この低速回転軸に原動側タイミングプーリを設けた構成としたことを特徴とする。【００１１】  また、本考案の請求項３によるピアノの椅子は、請求項１または２記載のピアノの椅子において、上記駆動モータは、椅子の本体内に備えた蓄電池を電源となし、昇降スイッチにより正転・逆転して各雌ネジ環を正転・逆転させ、上記各ボールネジ棒の昇降移動で座部の高さを微動昇降させながら任意位置に停止する構成としたことを特徴とする。【００１２】  また、本考案の請求項４によるピアノの椅子は、請求項１または２記載のピアノの椅子において、上記駆動モータは、１００ボルト商用電源等の外部電源に繋がれ、昇降スイッチにより正転・逆転され、座部の高さを微動昇降させながら任意位置に停止する構成としたことを特徴とする。【００１３】  また、本考案の請求項５によるピアノの椅子は、請求項１記載のピアノの椅子において上記椅子の四隅に垂直配置した脚部の一つに、身長別の座部高さ位置を示す表示部を備え、上記表示部を備えた脚部の内側に垂直配置されたボールネジ棒の下端側に座部の高さ位置を上記表示部に指示する指針を備えたことを特徴とする。
【考案の効果】
【００１４】  上記請求項１記載のピアノの椅子によると、上記駆動モータの正転・逆転駆動による各雌ネジ環の同期した正転・逆転で座部の高さ調節が安定して迅速に昇降でき、精密な昇降調節が可能となる。また、演奏者が座部に座ったままでも座部の高さ調節が可能で、ジャストフィットな高さの微調節ができる。【００１５】  また、上記請求項２のピアノの椅子によると、座部に大きな荷重となる人体の重量を掛けても、このウオーム減速機の低速回転軸に取り付けた原動側タイミングプーリと各雌ネジ環のタイミングプーリとを巻き掛けたタイミングベルトが人体の重量に押さえられても逆転されることが無く、座部の昇降移動時の減速機能とブレーキ力が発揮できる。【００１６】  また、上記請求項３のピアノの椅子によると、駆動モータは、椅子の本体内に備えた蓄電池を電源としたから、電源の無いピアノ教室内や演奏会場においても、座部の高さ調節が簡潔にできるばかりか、演奏者が座部に座ったままでも座部の高さ調節が可能で、ジャストフィットな高さの微調節ができる。
更に、上記請求項４のピアノの椅子によると、駆動モータは、１００ボルト商用電源等の外部電源に繋がれ、昇降スイッチにより正転・逆転するから、座部の高さを強力に微動昇降させながら任意な高さ位置に位置決めできるばかりか、演奏者が座部に座ったままでも座部の高さ調節が可能で、ジャストフィットな高さの微調節ができる。【００１７】  また、上記請求項５のピアノの椅子によると、座部の最適な高さ調節が椅子に掛ける前に身長別に最適高さ位置が表示部で確認できるから、ピアノ演奏に先立ち座部の高さ調節の必要性の有無が確認出来るとともに、身長別の座部の最適高さ位置が決められるから、単に座部の高さ調節が出来る機能を備えただけの椅子には無いピアノ演奏者の姿勢が最適に設定できる。
【図面の簡単な説明】
【００１８】
【図１】  本考案の第１の実施の形態でピアノ椅子の正断面図である。
【図２】  本考案の第１の実施の形態で、ピアノ椅子のＡ−Ａ線断面図である。
【図３】  本考案の第１の実施の形態で、ピアノ椅子の座部の平面図である。
【図４】  本考案の第１の実施の形態で、ピアノ椅子の昇降機構の斜視図である。
【図５】  本考案の第１の実施の形態で、ピアノ椅子の昇降作用の断面図である。
【図６】  本考案の第２の実施の形態で、ピアノ椅子の昇降機構の斜視図である。
【図７】  本考案の第３の実施の形態で、ピアノ椅子の昇降機構に高さ表示部を備えた正面図である。
【考案を実施するための形態】
【００１９】  以下、図１乃至図５を参照し、本考案の第１の実施の形態となるピアノの椅子を説明す  る。以下、実施例で説明する。
【実施例】
【００２０】  本考案のピアノの椅子１００は、図１〜図４に示すように構成されている。ピアノの椅子１００において、四角枠１の四隅に脚部２を垂直配置した本体１０と、この四角枠１の内側に同形の支持板４が嵌着されている。上記脚部２に沿って４本のボールネジ棒Ｂ１〜Ｂ４が支持板４の四隅に垂直配置され、上記ボールネジ棒の頂端Ｂ５〜Ｂ８が座部１１の下面１１Ａに固着して座部を水平姿勢に支えている。尚、上記ボールネジ棒Ｂ１〜Ｂ４は、蛇腹Ｇによって保護されており、外周にタイミングプーリ５Ａ〜５Ｄを嵌着した雌ネジ環６Ａ〜６Ｄが下側に配置したボールベアリング８Ａ〜８Ｄとスラスト軸受７Ａ〜７Ｄを介して支持板４に回転自在に垂直支持されている。更に、図２と図４に示すように、上記支持板４の略中央位置の下面には、ウオ−ム減速機ＵＧ付の駆動モータＭが取り付けられ、その低速回転軸９は、支持板４に開けた通孔Ｈからこの上面に突出しており、この低速回転軸９に原動側タイミングプーリ１２が取り付けられている。更に、原動側タイミングプーリ１２の両側には、二つのテンションプーリＴが配置されている。これにより、上記原動側タイミングプーリ１２とボールネジ棒Ｂ１〜Ｂ４のタイミングプーリ５Ａ〜５ＤとテンションプーリＴがタイミングベルト１３により巻き掛けられている。【００２１】  しかして、上記各雌ネジ環６Ａ〜６Ｄの各外周に設けたタイミングプーリ５Ａ〜５Ｄが１つの駆動モータＭにウオ−ム減速機ＵＧを介して繋がれており、上記駆動モータの正転・逆転駆動による各雌ネジ環の同期した正転・逆転で座部１１を昇降調節する構成になっている。上記駆動モータＭは、ピアノの椅子１００の本体１０内の支持板４内の下面に備えた蓄電池Ｂ０を電源とし、昇降スイッチＳ１，Ｓ２により正転・逆転され、座部１１の高さを微動昇降させながら任意位置に停止する構成になっている。即ち、図２において、駆動モータＭが正転時には、タイミングベルト１３が時計方向（実線矢の方向）に巡回して座部１１を上昇させ、逆転時には、タイミングベルト１３が反時計方向（破線矢の方向）に巡回して座部１１を下降させる。また、１００ボルト商用電源等の外部電源も備え、蓄電池Ｂ０の充電機能を持たせるとともに、２電源方式としても良い。【００２２】  本考案の第１の実施の形態となるピアノの椅子１００は、上記のように構成されており、以下のように作用する。
先ず、ピアノの椅子１００によると、図１と図４と図５に見るように、椅子の四隅に垂直配置した脚部２に沿ってボールネジ棒Ｂ１〜Ｂ４が配置され、この頂端Ｂ５〜Ｂ８が座部１１を支えている。そして、ボールネジ棒Ｂ１〜Ｂ４に嵌る各雌ネジ環６Ａ〜６Ｄ各外周に設けたタイミングプーリ５Ａ〜５Ｄは、１つの駆動モータＭがタイミングベルト１３により一斉に回転駆動される。上記駆動モータＭの正転・逆転駆動がウオーム減速機ＵＧによる減速で高トルクを得て各雌ネジ環を昇降スイッチＳ１，Ｓ２により同期して正転・逆転させ、座部１１の高さ調節が安定して迅速に上昇移動叉は下降移動される。また、演奏者が座部１１に座ったままでも座部の高さ調節が可能で、ジャストフィットな高さの微調節が円滑に行える。更に、座部１１の昇降ストロークは、幼児から成人の背丈や足の長さに対してフィットできる範囲に微調節するために、例えば、実線の座部１１と破線の座部１１´に示すように、約２５０ｍｍ（２５センチメートル）の昇降ストロークに設定されている。勿論、ストロークは、上記数値に限定されず、自由に変更可能である。【００２３】  また、上記ピアノの椅子１００には、ウオ−ム減速機ＵＧ付の駆動モータＭが取り付けられているから、座部１１に大きな荷重となる人体の重量を掛けても、このウオ−ム減速機の低速回転軸に取り付けた原動側タイミングプーリと各雌ネジのタイミングプーリとを巻き掛けたタイミングベルトにより、ボールネジ棒Ｂ１〜Ｂ４が逆転されず、ウオ−ム減速機ＵＧにより座部の昇降移動時の減速機能とブレーキ力が発揮される。更に、駆動モータは、椅子の本体内の蓄電池を電源としているから、電源の無いピアノ教室内や演奏会場においても、座部の高さ調節が簡潔に行える。【００２４】  上記第１の実施の形態によると、下記の作用、効果が得られる。
先ず、上記駆動モータＭの正転・逆転駆動による各雌ネジの同期した正転・逆転で座部の高さ調節が安定して迅速に昇降でき、精密な昇降調節が可能となる。また、演奏者が座部に座ったままでも座部の高さ調節が可能で、ジャストフィットな高さの微調節ができる。【００２５】  また、駆動モータにウオ−ム減速機を備えているから、座部に大きな荷重となる人体の重量を掛けても、このウオ−ム減速機の低速回転軸に取り付けた原動側タイミングプーリと各雌ネジ環のタイミングプーリとを巻き掛けたタイミングベルトが人体の重量に押されて逆転されることが無く、座部の昇降移動時の減速機能とブレーキ力が発揮できる。【００２６】  また、駆動モータは、椅子の本体内に備えた蓄電池を電源としたから、電源の無いピアノ教室内や演奏会場においても、座部の高さ調節が簡潔にできるばかりか、演奏者が座部に座ったままでも座部の高さ調節が可能で、ジャストフィットな高さの微調節ができる。【００２７】  本考案の第１の実施の形態となるピアノの椅子１００は、上記構成に限定されない。即ち、図６に見るピアノの椅子２００の電源としても良い。即ち、上記駆動モータＭは、１００ボルト商用電源等の外部電源にコードＣで繋がれ、昇降スイッチＳ１，Ｓ２により正転・逆転され、座部１１の高さを微動昇降させながら任意位置に停止する構成としている。その他の構成は、椅子のコストパフォーマンスを図る為に、蓄電池Ｂ０を省略した。その他の構成は、第１の実施の形態となるピアノの椅子１００と同一である。また、上記支持板４は、１枚で構成され、これに各部品５Ａ〜Ｂ０他が取り付けられているが、各部品毎に分割させても良い。【００２８】  上記構成により、駆動モータＭは、１００ボルト商用電源等の外部電源に繋がれ、昇降スイッチＳ１，Ｓ２により正転・逆転するから、座部１１の高さを強力に微動昇降させながら任意な高さ位置に位置決めできるばかりか、演奏者が座部に座ったままでも座部の高さ調節が可能で、ジャストフィットな高さの微調節ができる。また、蓄電池Ｂ０を不要とするから、メンテナンスフリーとなる。【００２９】  本考案の第１の実施の形態となるピアノの椅子１００は、上記構成に限定されない。図７に見る第３の実施の形態となるピアノの椅子３００のように、身長別による座部の最適高さ位置を表示する表示部Ｐを備えた。その構成は、椅子の四隅に垂直配置した脚部２の一つに、身長別（幼児から、児童、小学生、中学生、成人、長身な成人等）の座部高さ位置を示す表示部Ｐを備えている。上記表示部を備えた脚部２の内側に垂直配置され昇降動するボールネジ棒Ｂ２の下端側に座部１１の高さ位置を上記表示部Ｐに指示する指針Ｑを備えている。上記表示部Ｐは、具体的な表示方法として、身長別に（幼児、児童、小学生、中学生、成人、長身な成人等）のように体格別の表記としたり、叉は具体的に身長の数値を表記しても良い。【００３０】  上記第３の実施の形態となるピアノの椅子３００によると、座部１１の最適な高さ調節が椅子３００に掛ける前に身長別に最適高さ位置が表示部Ｐで確認できるから、ピアノ演奏に先立ち座部１１の高さ調節の必要性の有無が確認出来るとともに、身長別による座部１１の最適高さ位置が決められるから、単に座部１１の高さ調節が出来る機能を備えただけの椅子には無いピアノ演奏者の最適姿勢が設定できる。また、その調節範囲は、最下位置の座部１１´の幼児から児童、小学生、中学生、成人、最高位置となる座部１１が長身な成人のように表示されるから、椅子の高さ調節が様々な身長差があっても簡潔に調節できる。【００３１】  更に、座部の最適高さ位置を表示する表示部Ｐは、設計変更が可能である。具体的には、直線構造とした表示部Ｐを、ボールネジ棒Ｂ２の昇降動で減速旋回する表示針で表示する時計式（ダイヤル式）としたり、ボールネジ棒Ｂ２の昇降移動量を電子式に検出し、座部の高さをデジタル表示させても良いし、この表示も身長別に（幼児、児童、小学生、中学生、成人、長身な成人等）のように体格別に絵表示させても良い。
【産業上の利用可能性】
【００３２】  本考案は、ピアノ椅子に限定した実施例で説明したが、ピアノ椅子に限定されず、各種椅子、例えば、子供の学習椅子やオルガンの椅子、オーケストラの楽団員の各椅子等々にも広範囲に適用可能である。
【符号の説明】
【００３３】１                  四角枠
２                  脚部
４                  支持板
５Ａ〜５Ｄ          タイミングプーリ
６Ａ〜６Ｄ          雌ネジ環
７Ａ〜７Ｄ          スラスト軸受
８Ａ〜８Ｄ          ボールベアリング
９                  低速回転軸
１０                本体
１１，１１´        座部
１１Ａ              下面
１２                原動側タイミングプーリ
１３                タイミングベルト
１００，２００      ピアノの椅子
３００              ピアノの椅子
Ｂ０                蓄電池
Ｂ１〜Ｂ４          ボールネジ棒
Ｂ５〜Ｂ８          頂端
Ｃ                  コード
Ｇ                  蛇腹
Ｈ                  通孔
Ｍ                  駆動モータ
Ｐ                  表示部
Ｑ，Ｑ´            指針
Ｓ１，Ｓ２          昇降スイッチ
Ｔ                  テンションプーリ
ＵＧ                ウオ−ム減速機
【図１】
0003179986.tif 000003
【図２】
0003179986.tif 000004
【図３】
0003179986.tif 000005
【図４】
0003179986.tif 000006
【図５】
0003179986.tif 000007
【図６】
0003179986.tif 000008
【図７】
0003179986.tif 000009